(57)【要約】【課題】  遠隔監視制御システムで伝送されるパケット情報の内容を容易に確認することができるパケット解析システムを提供することを課題とする。【解決手段】  遠隔操作の対象となる被制御機器に繋がる遠隔監視制御装置と該遠隔監視制御装置と一つ以上のネットワークを介して接続される複数の情報交換装置との間で伝送されるパケット情報を取得する取得機能２と、該取得機能２で取得したパケット情報Ｄｐを解析する解析機能３と、該解析機能３でパケット情報Ｄｐを解析した情報である解析情報Ｄａを表示部６に出力する表示機能４とを備え、表示機能４は、解析情報Ｄａを時系列順に並べたうえで表示部６に出力するようになっていることを特徴とする遠隔監視制御システム用パケット解析システム１。【選択図】図２
2014150437.tif 000002
【特許請求の範囲】
【請求項１】
遠隔操作の対象となる被制御機器に繋がる遠隔監視制御装置と該遠隔監視制御装置と一つ以上のネットワークを介して接続される複数の情報交換装置との間で伝送されるパケット情報を取得する取得機能と、該取得機能で取得したパケット情報を解析する解析機能と、該解析機能でパケット情報を解析した情報である解析情報を表示部に出力する表示機能とを備え、表示機能は、解析情報を時系列順に並べたうえで表示部に出力するようになっていることを特徴とする遠隔監視制御システム用パケット解析システム。
【請求項２】
表示機能によって表示部に出力する解析情報を選択する選択機能を備える請求項１に記載の遠隔監視制御システム用パケット解析システム。
【請求項３】
解析機能は、パケット情報から当該パケット情報が伝送される経路を示す伝送経路情報を抽出し、選択機能は、パケット情報の伝送される経路の情報である伝送経路情報毎に解析情報を選択可能な請求項２に記載の遠隔監視制御システム用パケット解析システム。
【請求項４】
解析機能は、パケット情報が伝送される方向を示す伝送方向情報を抽出し、表示機能は、伝送経路情報と伝送方向情報とを表示部に表示するシーケンス表示機能を有する請求項３に記載の遠隔監視制御システム用パケット解析システム。
【発明の詳細な説明】
【技術分野】
【０００１】
本発明は、遠隔監視制御システムで伝送されているパケット情報を解析する遠隔監視制御システム用パケット解析システムに関する。
【背景技術】
【０００２】
従来から、変電所に設置される電力設備や開閉器等の現場機器を遠隔操作する遠隔監視制御システムが提供されている。
【０００３】
かかる遠隔監視制御システムには、遠隔操作の対象となる機器（以下、被制御機器とする）が繋がる遠隔監視制御装置と、被制御機器の監視や操作を行う制御装置が繋がる複数の情報交換装置とを備えており、各情報交換装置が回線によって遠隔監視制御装置に接続されている（すなわち、遠隔監視制御装置に対して複数の情報交換装置が直列的に接続されている）ものがある（例えば、特許文献１参照）。
【０００４】
近年、遠隔監視制御システムを運営するための人員削減等の理由から、上述のような遠隔監視制御装置に替わり、遠隔監視制御装置と各情報交換装置とがネットワークを介して接続されている遠隔監視制御システム（すなわち、遠隔監視制御装置に対して複数の情報交換装置が並列的に接続されている遠隔監視制御システム）が提供されつつある。
【０００５】
このような遠隔監視制御システムでは、ネットワークを介して遠隔監視制御装置と各情報交換装置との間でパケット情報を伝送することによって、制御装置から被制御機器の監視や操作を行うことができるとされている。
【先行技術文献】
【特許文献】
【０００６】
【特許文献１】特開２０１２−６９０７５号公報
【発明の概要】
【発明が解決しようとする課題】
【０００７】
ところで、遠隔監視制御システムでは、保守や運用を行ううえで、伝送されているパケット情報を取得し、該パケット情報の内容を確認する作業が行われることがある。
【０００８】
しかしながら、各情報交換装置が遠隔監視制御装置に対して並列的に接続されている遠隔監視制御システムでは、遠隔監視制御装置と各情報交換装置との間で伝送される全てのパケット情報を一括して取得することになる。そのため、遠隔監視制御システムから取得した複数のパケット情報の中には、所望するパケット情報以外のパケット情報も含まれている。そのため、作業者は、膨大な数のパケット情報の中から、所望するパケット情報を探し出す必要があった。
【０００９】
また、取得したパケット情報は、作業者が一見して容易に内容を把握することのできない状態になっている（例えば、１６進数に変換されている状態になっている）。そのため、作業者は、データ情報を解析しながらパケット情報の内容を確認する必要があった。
【００１０】
このように、遠隔監視制御システムで伝送されるパケット情報の内容を確認する作業を行う場合、所望するパケット情報を探し出す作業や、パケット情報を解析する作業に多大な時間と手間を費やしていた。
【００１１】
そこで、本発明は、かかる実情に鑑み、遠隔監視制御システムで伝送されるパケット情報の内容を容易に確認することができるパケット解析システムを提供することを課題とする。
【課題を解決するための手段】
【００１２】
本発明に係るパケット解析システムは、遠隔操作の対象となる被制御機器に繋がる遠隔監視制御装置と該遠隔監視制御装置と一つ以上のネットワークを介して接続される複数の情報交換装置との間で伝送されるパケット情報を取得する取得機能と、該取得機能で取得したパケット情報を解析する解析機能と、該解析機能でパケット情報を解析した情報である解析情報を表示部に出力する表示機能とを備え、表示機能は、解析情報を時系列順に並べたうえで表示部に出力するようになっていることを特徴とする。
【００１３】
上記構成のパケット解析システムによれば、遠隔操作の対象となる被制御機器に繋がる遠隔監視制御装置と該遠隔監視制御装置と一つ以上のネットワークを介して接続される複数の情報交換装置との間で伝送されるパケット情報を取得し、当該パケット情報を解析機能で解析した情報である解析情報を表示部に出力するようになっている。そのため、パケット情報の内容を作業者が解析する手間を省くことができる。
【００１４】
また、表示機能は、解析情報を時系列順に並べたうえで表示部に出力するようになっているため、所望するパケット情報を容易に探し出すことができる。
【００１５】
本発明に係るパケット解析システムの一態様として、表示機能によって表示部に出力する解析情報を選択する選択機能を備えるようにし得る。このようにすれば、選択機能で選択した解析情報のみを表示部に出力することができるため、所望するパケット情報をより容易に探し出すことができるようになる。
【００１６】
この場合、解析機能は、パケット情報から当該パケット情報が伝送される経路を示す伝送経路情報を抽出し、選択機能は、パケット情報の伝送される経路の情報である伝送経路情報毎に解析情報を選択可能になっているようにし得る。このようにすれば、必要となる伝送経路情報を有するパケット情報のみを表示部に出力することができる。従って、所望するパケット情報を容易に探し出すことができる。
【００１７】
本発明に係るパケット解析システムの他の態様として、解析機能は、パケット情報が伝送される方向を示す伝送方向情報を抽出し、表示機能は、伝送経路情報と伝送方向情報とを表示部に表示するシーケンス表示機能を有するようにしてもよい。このようにすれば、表示部に表示された伝送経路情報と伝送方向情報とを確認することで、パケット情報の流れを把握することができるため、パケット情報の内容を解析する手間を省くことができる。
【発明の効果】
【００１８】
以上のように、本発明の遠隔監視制御システム用パケット解析システムによれば、遠隔監視制御システムで伝送されるパケット情報の内容を容易に確認することができるという優れた効果を奏し得る。
【図面の簡単な説明】
【００１９】
【図１】図１は、本発明の第一実施形態に係る遠隔監視制御システム用パケット解析システムがパケット情報の解析を行う対象とする遠隔監視制御システムの全体構成図である。
【図２】図２は、同実施形態に係る遠隔監視制御システム用パケット解析システムの概要図である。
【図３】図３は、同実施形態に係る遠隔監視制御システム用パケット解析システムの説明図であって、表示部に解析情報を表示させた状態の説明図である。
【図４】図４は、同実施形態に係る遠隔監視制御システム用パケット解析システムの説明図であって、選択機能を使用している状態の説明図である。
【発明を実施するための形態】
【００２０】
以下、本発明の一実施形態に係る遠隔監視制御システム用パケット解析システム（以下、パケット解析システムとする）について、添付図面を参照しつつ説明を行う。まず、パケット解析システムの説明に先立ち、遠隔監視制御システムについて、添付図面を参照しつつ説明を行う。
【００２１】
図１に示すように、遠隔監視制御システムＳは、遠隔操作の対象となる被制御機器Ｓ１０に繋がる遠隔監視制御装置Ｓ１と該遠隔監視制御装置Ｓ１と一つ以上（本実施形態では、二つ）のネットワークＮ１，Ｎ２を介して接続される複数の情報交換装置Ｓ２，Ｓ２…とが互いにパケット情報Ｄｐを伝送するようになっている。また、遠隔監視制御システムＳは、各情報交換装置Ｓ２が接続される切替装置Ｓ３であって、遠隔操作の対象となる被制御機器Ｓ１０を制御するために遠隔監視制御装置Ｓ１が通信を行う対象とする情報交換装置Ｓ２を変更するための切替装置Ｓ３を備えている。
【００２２】
遠隔監視制御システムＳには、遠隔操作の対象となる被制御機器Ｓ１０として、変電所に設置される電力設備や開閉器等の現場機器が繋がっている。複数の情報交換装置Ｓ２，Ｓ２…は、二つの情報集配信装置Ｓ２０，Ｓ２１と、情報変換装置Ｓ２２とによって構成されている。そして、各情報集配信装置Ｓ２０，Ｓ２１と情報変換装置Ｓ２２とには、遠隔操作の対象となる被制御機器Ｓ１０の監視や操作を行う制御装置Ｓ２３に繋がっている。
【００２３】
図２に示すように、パケット解析システム１は、被制御機器Ｓ１０に繋がる遠隔監視制御装置Ｓ１と該遠隔監視制御装置Ｓ１と二つのネットワークＮ１，Ｎ２を介して接続される複数の情報交換装置Ｓ２，Ｓ２…との間で伝送されるパケット情報Ｄｐを取得する取得機能２と、該取得機能２で取得したパケット情報Ｄｐを解析する解析機能３と、該解析機能３でパケット情報Ｄｐを解析した情報である解析情報Ｄａを表示部６に出力する表示機能４とを備えている。また、パケット解析システム１は、表示機能４で表示部６に出力する解析情報Ｄａを選択する選択機能５を備えている。なお、パケット解析システム１は、各ネットワークＮ１，Ｎ２と遠隔監視制御装置Ｓ１との間に接続されているパソコン等の機器に導入すればよい。
【００２４】
取得機能２は、遠隔監視制御装置Ｓ１と各ネットワークＮ１，Ｎ２との間を通過するパケット情報Ｄｐを取得するようになっている。これにより、取得機能２は、遠隔監視制御装置Ｓ１と各情報交換装置Ｓ２（二つの情報集配信装置Ｓ２０，Ｓ２１と情報変換装置Ｓ２２）との間で伝送されるパケット情報Ｄｐを取得できるようになっている（図１参照）。
【００２５】
解析機能３は、取得機能２で取得したパケット情報Ｄｐから、パケット情報Ｄｐが送信された時刻を示す時刻情報Ｄａ１と、パケット情報Ｄｐが伝送される経路を示す伝送経路情報Ｄａ２と、パケット情報Ｄｐが伝送される方向を示す伝送方向情報Ｄａ３と、切替装置Ｓ３によって、被制御機器Ｓ１０を制御するために遠隔監視制御装置Ｓ１の通信対象とされている情報交換装置Ｓ２（以下、通信対象装置とする）を示す切替情報Ｄａ４とを抽出するようになっている。
【００２６】
また、解析機能３は、取得機能２で取得したパケット情報Ｄｐから、各ネットワークＮ１，Ｎ２を介して送信される同一パケット情報Ｄｐのうち、最も早く送信先に到着したパケット情報Ｄｐであるか否かを示す先着情報Ｄａ５と、遠隔監視制御装置Ｓ１と各情報交換装置Ｓ２との通信状況を示す接続状況情報Ｄａ６と、時刻情報Ｄａ１に応じて設定される番号である番号情報Ｄａ７とを抽出するようになっている。
【００２７】
そのため、解析情報Ｄａは、時刻情報Ｄａ１と、伝送経路情報Ｄａ２と、伝送方向情報Ｄａ３と、切替情報Ｄａ４と、先着情報Ｄａ５と、接続状況情報Ｄａ６と、番号情報Ｄａ７とを有する。
【００２８】
伝送経路情報Ｄａ２は、パケット情報Ｄｐを伝送するネットワークＮ１，Ｎ２と、パケット情報Ｄｐを伝送する情報交換装置Ｓ２とに基づいて設定される。すなわち、伝送経路情報Ｄａ２には、本実施形態では、ネットワークＮ１，Ｎ２と、各情報交換装置Ｓ２との組み合わせによる六つの経路のうちの何れかの経路を示す情報が設定される。
【００２９】
伝送方向情報Ｄａ３には、遠隔監視制御装置Ｓ１から情報交換装置Ｓ２に向かう方向である上り方向、又は情報交換装置Ｓ２から遠隔監視制御装置Ｓ１に向かう方向である下り方向を示す情報が設定されている。
【００３０】
切替情報Ｄａ４は、情報集配信装置Ｓ２０，Ｓ２１が認識している通信対象装置を示す第一の切替情報Ｄａ４０と、情報変換装置Ｓ２２が認識している通信対象装置を示す第二の切替情報Ｄａ４１と、遠隔監視制御装置Ｓ１が認識している通信対象装置を示す第三の切替情報Ｄａ４２とを有する。
【００３１】
従って、第一の切替情報Ｄａ４０、第二の切替情報Ｄａ４１、第三の切替情報Ｄａ４２のそれぞれには、情報集配信装置Ｓ２０，Ｓ２１を示す情報又は情報変換装置Ｓ２２を示す情報が設定されている。また、遠隔監視制御システムＳにおいて情報集配信装置Ｓ２０は、情報変換装置Ｓ２２が認識している通信対象装置の情報を把握することができず、情報変換装置Ｓ２２は、情報集配信装置Ｓ２０が認識している通信対象装置の情報を把握することができない。
【００３２】
そのため、情報集配信装置Ｓ２０から遠隔監視制御装置Ｓ１に送信されるパケット情報Ｄｐから抽出した解析情報Ｄａにおいては、情報変換装置Ｓ２２が認識している通信対象装置を把握できないことを示す情報が第二の切替情報Ｄａ４１に設定される。そして、情報変換装置Ｓ２２から遠隔監視制御装置Ｓ１に送信されるパケット情報Ｄｐから抽出した解析情報Ｄａにおいては、情報集配信装置Ｓ２０が認識している通信対象装置を把握できないことを示す情報が第一の切替情報Ｄａ４０に設定される。さらに、情報集配信装置Ｓ２０が認識している通信対象装置と、情報変換装置Ｓ２２が認識している通信対象装置とが一致していない場合は、情報集配信装置Ｓ２０が認識している通信対象装置と、情報変換装置Ｓ２２が認識している通信対象装置とが一致していないことを示す情報が第三の切替情報Ｄａ４２に設定される。
【００３３】
先着情報Ｄａ５には、情報交換装置Ｓ２から遠隔監視制御装置Ｓ１に送信される同一パケット情報Ｄｐのうち、最も早く遠隔監視制御装置Ｓ１に到達した先着のパケット情報Ｄｐであることを示す情報と、遠隔監視制御装置Ｓ１から情報交換装置Ｓ２に送信される同一パケット情報Ｄｐのうち、最も早く情報交換装置Ｓ２に到着した先着のパケット情報Ｄｐであることを示す情報と、先着のパケット情報Ｄｐではないことを示す情報との何れか一つが設定されている。
【００３４】
接続状況情報Ｄａ６は、遠隔監視制御装置Ｓ１、各情報集配信装置Ｓ２０，Ｓ２１、情報変換装置Ｓ２２のそれぞれが認識している通信対象装置の情報に基づいて判断された通信状況を示す情報（通信状態が安定している状況を示す情報又は通信状態が安定していない状況を示す情報）が設定される。
【００３５】
番号情報Ｄａ７は、古い時刻情報Ｄａ１を有する解析情報Ｄａの番号情報Ｄａ７から順に連番が設定される。
【００３６】
表示機能４は、パケット情報Ｄｐを送信した時刻を示す時刻情報Ｄａ１を表示する時刻情報表示機能４０を有する。また、表示機能４は、解析情報Ｄａをシーケンスとして表示部６に表示するシーケンス表示機能４１を有する。そして、表示機能４は、切替情報Ｄａ６を表示部６に出力する切替情報表示機能４２を有する。
【００３７】
さらに、表示機能４は、各ネットワークＮ１，Ｎ２を介して送信される同一パケット情報Ｄｐのうち、最も早く送信先に到着したパケット情報Ｄｐを視認できるようにする先着情報表示機能４３を有する。また表示機能４は、切替情報Ｄａ４を基に接続状況を示す接続状況情報Ｄａ６を表示部６に表示する接続状況表示機能４４を有する。そして、表示機能４は、時刻情報Ｄａ１に応じて設定される情報である番号情報Ｄａ７を表示部に出力する番号表示機能４５を有する。
【００３８】
時刻情報表示機能４０は、パケット情報Ｄｐが有する時刻情報Ｄａ１を表示部６に表示するようになっている。
【００３９】
シーケンス表示機能４１は、パケット情報Ｄｐの伝送経路情報Ｄａ２を表示する伝送経路表示機能４１０と、パケット情報Ｄｐの伝送方向情報Ｄａ３を表示する伝送方向表示機能４１１とを有する。
【００４０】
切替情報表示機能４２は、遠隔監視制御装置Ｓ１が有する切替情報Ｄａ４と、各情報集配信装置Ｓ２０が有する切替情報Ｄａ４と、情報変換装置Ｓ２２が有する切替情報Ｄａ４とを出力するようになっている。
【００４１】
なお、切替情報表示機能４２は、装置同士の接続の確認を行う際に伝送されるパケット情報Ｄｐから抽出した解析情報Ｄａに切替情報Ｄａ４を表示するようになっている。
【００４２】
先着情報表示機能４３は、先着情報Ｄａ５を表示部６に出力するようになっている。より具体的に説明すると、先着情報表示機能４３は、情報交換装置Ｓ２から遠隔監視制御装置Ｓ１に送信される同一パケット情報Ｄｐのうち、最も早く遠隔監視制御装置Ｓ１に到達した先着のパケット情報Ｄｐであることを示す情報又は遠隔監視制御装置Ｓ１から情報交換装置Ｓ２に送信される同一パケット情報Ｄｐのうち、最も早く情報交換装置Ｓ２に到着した先着のパケット情報Ｄｐであることを示す情報が設定されている先着情報Ｄａ５を表示部６に設定するようになっている。
【００４３】
すなわち、先着情報表示機能４３は、先着のパケット情報Ｄｐではないことを示す情報との何れか一つが設定されている先着情報Ｄａ５は、表示部６に表示しないようになっている。このようにして、先着情報表示機能４３は、各ネットワークＮ１，Ｎ２を介して送信される同一パケット情報Ｄｐのうち、最も早く送信先に到着したパケット情報Ｄｐを視認できるようにしている。
【００４４】
接続状況表示機能４４は、接続状況情報Ｄａ６を表示部６に出力するようになっている。
【００４５】
番号表示機能４５は、番号情報Ｄａ７を表示部６に出力するようになっている。
【００４６】
表示部６は、一つのパケット情報Ｄｐから抽出した解析情報Ｄａを表示する解析結果表示領域６０を複数有する。そのため、複数のパケット情報Ｄｐ，Ｄｐ…は、時刻の新しいものほど表示部６の下側に出力されるようになっている。
【００４７】
各解析結果表示領域６０は、伝送経路情報Ｄａ２及び伝送方向情報Ｄａ３を出力するシーケンス表示領域６１を有する。また、各解析結果表示領域６０は、時刻情報Ｄａ１を表示する時刻領域６２と、番号情報Ｄａ７を表示する番号表示領域６３とを有する。
【００４８】
シーケンス表示領域６１には、切替情報Ｄａ４と、先着情報Ｄａ５と、接続状況情報Ｄａ６とがさらに表示される。また、シーケンス表示領域６１は、遠隔監視制御装置Ｓ１と情報集配信装置Ｓ２０との間で送受信されるパケット情報Ｄｐから抽出した解析情報Ｄａ（本実施形態では、解析情報Ｄａの伝送経路情報Ｄａ２と、伝送方向情報Ｄａ３と、切替情報Ｄａ４と、先着情報Ｄａ５と、接続状況情報Ｄａ６）を表示する第一のシーケンス表示領域６１０と、遠隔監視制御装置Ｓ１と情報変換装置Ｓ２２との間で送受信されるパケット情報Ｄｐから抽出した解析情報Ｄａ（本実施形態では、解析情報Ｄａの伝送経路情報Ｄａ２と、伝送方向情報Ｄａ３と、切替情報Ｄａ４と、先着情報Ｄａ５と、接続状況情報Ｄａ６）を表示する第二のシーケンス表示領域６１１とを有する。
【００４９】
選択機能５は、伝送経路情報Ｄａ２毎に解析情報Ｄａを選択可能になっている。すなわち、選択機能５は、伝送経路情報Ｄａ２毎に分けられる解析情報Ｄａのグループ（本実施形態では、ネットワークＮ１，Ｎ２と、各情報交換装置Ｓ２との組み合わせによって分けられる六つのグループ）を選択できるようになっている。
【００５０】
また、選択機能５は、伝送方向情報Ｄａ３毎に解析情報Ｄａを選択可能になっている。すなわち、選択機能５は、伝送方向情報Ｄａ３毎に分けられる解析情報Ｄａのグループ（本実施形態では、上り方向が設定されている伝送方向情報Ｄａ３を有するパケット情報Ｄｐのグループと、下り方向が設定されている伝送方向情報Ｄａ３を有するパケット情報Ｄｐのグループ）を選択できるようにもなっている。
【００５１】
そして、選択機能５は、先着のパケット情報Ｄｐを有するグループで分けられるグループと、先着のパケット情報Ｄｐが含まれていないパケット情報Ｄｐとで分けられるグループとを選択できるようにもなっている。
【００５２】
そして、選択機能５では、伝送経路情報Ｄａ２毎に分けられるグループと、伝送方向情報Ｄａ３毎に分けられるグループと、先着のパケット情報Ｄｐと、先着のパケット情報Ｄｐ以外のパケット情報Ｄｐとに分けられるグループの何れか一つを選択したり、複数のグループを選択したりすることができる。
【００５３】
また、選択機能５では、伝送経路情報Ｄａ２毎に分けられる六つのグループのうちの一つのグループを選択したり、複数のグループを選択したりすることができる。また、伝送方向情報Ｄａ３毎に分けられる二つのグループ及び先着のパケット情報Ｄｐと、先着情報Ｄａ５の有無で分けられる二つのグループにおいても同様に、一つのグループを選択したり、二つのグループを選択したりすることができる。
【００５４】
本実施形態に係るパケット解析システム１は、以上の通りである。続いて、本実施形態に係るパケット解析システム１を用いてパケット情報Ｄｐの内容の確認を行う作業について添付図面を参照しつつ説明する。なお、本実施形態において表示部６に表示する文字や記号は、一例であり、これに限定されるものではない。
【００５５】
まず、取得機能２によって取得したパケット情報Ｄｐを解析機能３で解析する。そして、図３に示すように、解析機能３でパケット情報Ｄｐを解析した情報である解析情報Ｄａを表示機能４によって時系列順に並べたうえで表示部６に出力する。
【００５６】
このとき、伝送経路表示機能４１０が伝送経路情報Ｄａ２をシーケンス表示領域６１に表示し、伝送方向表示機能４１１が伝送方向情報Ｄａ３をシーケンス表示領域６１に表示する。より具体的に説明すると、解析機能３が遠隔監視制御装置Ｓ１と情報集配信装置Ｓ２０との間で伝送されたパケット情報Ｄｐを解析した場合、伝送経路表示機能４１０が伝送経路情報Ｄａ２を第一のシーケンス表示領域６１０に表示し、伝送方向表示機能４１１が伝送方向情報Ｄａ３を第一のシーケンス表示領域６１０に表示する。
【００５７】
さらに詳述すると、ネットワークＮ１を介して遠隔監視制御装置Ｓ１から一方の情報集配信装置Ｓ２０に伝送されたパケット情報Ｄｐから抽出した解析情報Ｄａを表示する場合、図３の領域Ａに示すように、伝送経路情報Ｄａ２は、ネットワークＮ１を使用していることを示す「１」と、情報集配信装置Ｓ２０に送信することを示す「Ａ」とを第一のシーケンス表示領域６１０に表示する。そして、伝送方向表示機能４１１は、遠隔監視制御装置Ｓ１から情報集配信装置Ｓ２０，Ｓ２１に向かう矢印を第一のシーケンス表示領域６１０に表示する。
【００５８】
また、ネットワークＮ２を介して情報集配信装置Ｓ２０，Ｓ２１から遠隔監視制御装置Ｓ１に伝送されたパケット情報Ｄｐから抽出した解析情報Ｄａを表示する場合、図３の領域Ｂに示すように、伝送経路情報Ｄａ２は、ネットワークＮ２を使用していることを示す「２」と、情報集配信装置Ｓ２１からパケット情報Ｄｐを送信したことを示す「Ａ」とを第一のシーケンス表示領域６１０に表示する。そして、伝送方向表示機能４１１は、情報集配信装置Ｓ２０，Ｓ２１から遠隔監視制御装置Ｓ１に向かう矢印を第一のシーケンス表示領域６１０に表示する。
【００５９】
そして、ネットワークＮ２を介して遠隔監視制御装置Ｓ１から情報変換装置Ｓ２２に伝送されたパケット情報Ｄｐから抽出した解析情報Ｄａを表示する場合、図３の領域Ｃに示すように、伝送経路情報Ｄａ２は、ネットワークＮ２を使用していることを示す「２」と、情報変換装置Ｓ２２に送信することを示す「Ｂ」とを第二のシーケンス表示領域６１１に表示する。そして、伝送方向表示機能４１１は、遠隔監視制御装置Ｓ１から情報変換装置Ｓ２２に向かう矢印を第二のシーケンス表示領域６１１に表示する。
【００６０】
また、ネットワークＮ１を介して情報変換装置Ｓ２２から遠隔監視制御装置Ｓ１に伝送されたパケット情報Ｄｐから抽出した解析情報Ｄａを表示する場合、図３の領域Ｄに示すように、伝送経路情報Ｄａ２は、ネットワークＮ１を使用していることを示す「１」と、パケット情報Ｄｐを情報変換装置Ｓ２２から送信したことを示す「Ａ」とを第一の表示領域に表示する。そして、伝送方向表示機能４１１は、情報変換装置Ｓ２２から遠隔監視制御装置Ｓ１に向かう矢印を第二のシーケンス表示領域６１１に表示する。
【００６１】
そして、解析情報Ｄａが先着のパケット情報Ｄｐから抽出されたものである場合は、先着情報表示機能４３が当該解析情報Ｄａを表示する解析結果表示領域６０（シーケンス表示領域６１）に先着情報Ｄａ５を表示する。なお、先着情報表示機能４３は、伝送方向情報Ｄａ３に併せて表示するようになっている。
【００６２】
さらに、解析機能３が装置同士の接続の確認を行うために伝送されるパケット情報Ｄｐから抽出されたものである場合は、切替情報表示機能４２が第一の切替情報Ｄａ４０、第二の切替情報Ｄａ４１、第三の切替情報Ｄａ４２、及び接続状況情報Ｄａ６をシーケンス表示領域６１に表示する。
【００６３】
より具体的に説明すると、図４に示すように、遠隔監視制御装置Ｓ１から情報集配信装置Ｓ２０に伝送されたパケット情報Ｄｐ、又は遠隔監視制御装置Ｓ１から情報変換装置Ｓ２２に伝送されたパケット情報Ｄｐから抽出した解析情報Ｄａを表示する場合、第一の切替情報Ｄａ４０に設定されている情報が情報集配信装置Ｓ２０である場合は、「ＤＸ」をシーケンス表示領域６１に表示し、通信対象装置が情報変換装置Ｓ２２である場合は、「ＩＦ」をシーケンス表示領域６１に表示する。また、第二の切替情報Ｄａ４１に設定されている情報が情報集配信装置Ｓ２０である場合は、「ＤＸ」をシーケンス表示領域６１に表示し、通信対象装置が情報変換装置Ｓ２２である場合は、「ＩＦ」をシーケンス表示領域６１に表示する。そして、第三の切替情報Ｄａ４２に設定されている情報が情報集配信装置Ｓ２０である場合は、「ＤＸ」をシーケンス表示領域６１に表示し、通信対象装置が情報変換装置Ｓ２２である場合は、「ＩＦ」をシーケンス表示領域６１に表示する。なお、第一の切替情報Ｄａ４０と、第二の切替情報Ｄａ４１とが一致していない場合は、第三の切替情報Ｄａ４２は、「不」としてシーケンス表示領域６１に表示される。
【００６４】
そして、情報集配信装置Ｓ２０から遠隔監視制御装置Ｓ１に伝送されたパケット情報Ｄｐから抽出した解析情報Ｄａを表示する場合、第一の切替情報Ｄａ４０に設定されている情報が情報集配信装置Ｓ２０である場合は、「ＤＸ」を第一のシーケンス表示領域６１０に表示し、通信対象装置が情報変換装置Ｓ２２である場合は、「ＩＦ」を第一のシーケンス表示領域６１０に表示する。この場合、情報集配信装置Ｓ２０は、情報変換装置Ｓ２２が認識している通信対象装置を把握できないため、第二の切替情報Ｄａ４１は、「――」として第一のシーケンス表示領域６１０に表示される。そして、第三の切替情報Ｄａ４２に設定されている情報が情報集配信装置Ｓ２０である場合は、「ＤＸ」を第一のシーケンス表示領域６１０に表示し、通信対象装置が情報変換装置Ｓ２２である場合は、「ＩＦ」を第一のシーケンス表示領域６１０に表示する。なお、この場合においても、第一の切替情報Ｄａ４０と、第二の切替情報Ｄａ４１とが一致していない場合は、第三の切替情報Ｄａ４２は、「不」として第一のシーケンス表示領域６１０に表示される。
【００６５】
さらに、情報変換装置Ｓ２２から遠隔監視制御装置Ｓ１に伝送されたパケット情報Ｄｐから抽出した解析情報Ｄａを表示する場合、情報変換装置Ｓ２２は、情報集配信装置Ｓ２０が認識している通信対象装置を把握できないため、第一の切替情報Ｄａ４０は、「――」として第二のシーケンス表示領域６１１に表示される。そして、第二の切替情報Ｄａ４１に設定されている情報が情報集配信装置Ｓ２０である場合は、「ＤＸ」を第二のシーケンス表示領域６１１に表示し、通信対象装置が情報変換装置Ｓ２２である場合は、「ＩＦ」を第二のシーケンス表示領域６１１に表示する。そして、第三の切替情報Ｄａ４２に設定されている情報が情報集配信装置Ｓ２０である場合は、「ＤＸ」を第二のシーケンス表示領域６１１に表示し、通信対象装置が情報変換装置Ｓ２２である場合は、「ＩＦ」を第二のシーケンス表示領域６１１に表示する。なお、この場合においても、第一の切替情報Ｄａ４０と、第二の切替情報Ｄａ４１とが一致していない場合は、第三の切替情報Ｄａ４２は、「不」として第二のシーケンス表示領域６１１に表示される。
【００６６】
そして、接続状況表示機能４４が切替情報Ｄａ４を基に接続状況を示す接続状況情報ＤＡ６を表示部６（シーケンス表示領域６１）に表示する。さらに、番号表示領域６３には、表示される順番に応じて設定される番号情報Ｄａ７を表示する。
【００６７】
そして、選択機能５でパケット情報Ｄｐを選択すると、選択機能５で選択された解析情報Ｄａのみが表示部６に表示される（図４では、先着のパケット情報Ｄｐで分けられるグループのみを選択している）。
【００６８】
以上のように、本実施形態に係るパケット解析システム１は、遠隔操作の対象となる被制御機器に繋がる遠隔監視制御装置Ｓ１と該遠隔監視制御装置Ｓ１と一つ以上のネットワークを介して接続される複数の情報交換装置Ｓ２，Ｓ２…との間で伝送されるパケット情報Ｄｐを取得し、当該パケット情報Ｄｐを解析機能３で解析した情報である解析情報Ｄａを表示部６に出力するようになっている。そのため、パケット情報Ｄｐの内容を作業者が解析する手間を省くことができる。
【００６９】
また、表示機能４は、解析情報Ｄａを時系列順に並べたうえで表示部６に出力するようになっているため、所望するパケット情報Ｄｐを容易に探し出すことができる。従って、遠隔監視制御システムで伝送されるパケット情報Ｄｐの内容を容易に確認することができるという優れた効果を奏し得る。
【００７０】
また、パケット解析システム１は、表示機能４によって表示部６に出力する解析情報Ｄａを選択する選択機能５を備えるため、所望する解析情報Ｄａのみを表示部６に出力することができるため、より容易に所望するパケット情報Ｄｐを探し出すことができる。
【００７１】
そして、解析機能３は、パケット情報Ｄｐからパケット情報Ｄｐが伝送される経路を示す伝送経路情報Ｄａ２を抽出し、選択機能５は、パケット情報Ｄｐの伝送される経路の情報である伝送経路情報Ｄａ２毎に解析情報Ｄａを選択可能になっているため、必要となる伝送経路情報Ｄａ２を有するパケット情報Ｄｐのみを表示部６に出力することができ、パケット情報Ｄｐの内容を解析する手間を省くことができる。
【００７２】
さらに、解析機能３は、パケット情報Ｄｐが伝送される方向を示す伝送方向情報Ｄａ３を抽出し、表示機能４は、伝送経路情報Ｄａ２と伝送方向情報Ｄａ３とを表示部６に表示するシーケンス表示機能４１を有するため、表示部６に表示された伝送経路情報Ｄａ２と伝送方向情報Ｄａ３とを確認することで、パケット情報Ｄｐの流れを把握することができ、パケット情報Ｄｐの内容を解析する手間を省くことができる。
【００７３】
尚、本発明の遠隔監視制御システム用パケット解析システムは、上記の実施形態に限定されるものではなく、本発明の要旨を逸脱しない範囲において種々変更を行うことは勿論である。
【００７４】
上記実施形態では、遠隔操作の対象となる被制御機器Ｓ１０に繋がる遠隔監視制御装置Ｓ１と該遠隔監視制御装置Ｓ１と複数の情報交換装置Ｓ２，Ｓ２…とが二つのネットワークＮ１，Ｎ２を介して接続されている遠隔監視制御システムＳにおいて伝送されるパケット情報Ｄｐを解析することを前提として説明を行ったが、これに限定されるものではなく、例えば、ネットワークの数は、一つであっても、三つ以上であってもよい。
【００７５】
なお、上記実施形態において、パケット解析システム１が導入されている機器は、各ネットワークＮ１，Ｎ２と遠隔監視制御装置Ｓ１との間に接続されていたが、これに限定されるものではなく、例えば、遠隔監視制御装置Ｓ１と各情報交換装置Ｓ２との間で伝送されるパケット情報Ｄｐを取得することができれば、パケット解析システム１が導入されている機器は、遠隔監視制御装置Ｓ１以外のものに接続されていてもよい。
【００７６】
すなわち、パケット解析システム１は、遠隔監視制御装置Ｓ１と各情報交換装置Ｓ２との間で伝送されるパケット情報Ｄｐを取得することができれば、遠隔監視制御装置Ｓ１と各ネットワークＮ１，Ｎ２との間以外の場所でパケット情報Ｄｐを取得するように構成することもできる。
【００７７】
上記実施形態において、複数のパケット情報Ｄｐ，Ｄｐ…は、時刻の新しいものほど表示部６の下側に出力されるようになっていたが、これに限定されるものではなく、例えば、時刻の新しいものほど表示部６の上側に出力されるようにすることもできる。
【００７８】
また、上記実施形態において、選択機能５は、伝送経路情報Ｄａ２毎に分けられる解析情報Ｄａのグループや、伝送方向情報Ｄａ３毎に分けられるグループや、先着のパケット情報Ｄｐを有するグループで分けられるグループや、先着のパケット情報Ｄｐが含まれていないパケット情報Ｄｐとで分けられるグループを選択できるようになっていたが、これに限定されるものではなく、例えば、パケット情報Ｄｐの種別毎に分けられる解析情報Ｄａのグループを選択できるようになっていてもよい。
【００７９】
また、上記実施形態において、解析機能３が装置同士の接続の確認を行うために伝送さ
れるパケット情報Ｄｐから抽出されたものである場合に、切替情報表示機能４２が第一の切替情報Ｄａ４０、第二の切替情報Ｄａ４１、第三の切替情報Ｄａ４２、及び接続状況情報Ｄａ６をシーケンス表示領域６１に表示するようになっていたが、これに限定されるものではなく、例えば、切替情報表示機能４２は、第一の切替情報Ｄａ４０、第二の切替情報Ｄａ４１、第三の切替情報Ｄａ４２、及び接続状況情報を全ての解析情報Ｄａに表示するようになっていてもよい。
【符号の説明】
【００８０】
１…パケット解析システム、２…取得機能、３…解析機能、４…表示機能、５…選択機能、６…表示部、４０…時刻情報表示機能、４１…シーケンス表示機能、４２…切替情報表示機能、４３…先着情報表示機能、４４…接続状況表示機能、４５…番号表示機能、６０…解析結果表示領域、６１…シーケンス表示領域、６２…時刻領域、６３…番号表示領域、４１０…伝送経路表示機能、４１１…伝送方向表示機能、６１０…第一のシーケンス表示領域、６１１…第二のシーケンス表示領域、Ａ…領域、Ｂ…領域、Ｃ…領域、Ｄ…領域、Ｄａ…解析情報、Ｄａ１…時刻情報、Ｄａ２…伝送経路情報、Ｄａ３…伝送方向情報、Ｄａ４…切替情報、Ｄａ４０…第一の切替情報、Ｄａ４１…第二の切替情報、Ｄａ４２…第三の切替情報、Ｄａ５…先着情報、Ｄａ６…接続状況情報、Ｄａ７…番号情報、Ｄｐ…パケット情報、Ｎ１，Ｎ２…ネットワーク、Ｓ…遠隔監視制御システム、Ｓ１…遠隔監視制御装置、Ｓ１０…被制御機器、Ｓ２…情報交換装置、Ｓ２０，Ｓ２１…情報集配信装置、Ｓ２２…情報変換装置、Ｓ２３…制御装置、Ｓ３…切替装置
【図１】
2014150437.tif 000003
【図２】
2014150437.tif 000004
【図３】
2014150437.tif 000005
【図４】
2014150437.tif 000006